(57)【特許請求の範囲】
【請求項１】
中継回線で発生したリンク障害を検出する障害検出手段と、
ＡＰＳプロトコルに従ってＡＰＳプロトコル状態を管理するＡＰＳ管理手段と、
回線の切替制御を行う切替制御手段とを備え、
前記障害検出手段は、前記リンク障害を検出すると、当該リンク障害を検出したことを示す障害検出メッセージを、前記ＡＰＳ管理手段を介することなく、前記切替制御手段に送信し、
前記切替制御手段は、前記障害検出メッセージを受信したことに基づいて、回線の切替制御を行う
ことを特徴とする伝送装置。
【請求項２】
切替制御手段は、
現在のＡＰＳプロトコル状態に基づいて、受信した障害検出メッセージを有効とするか無効とするかを判定し、
前記障害検出メッセージを有効とするか無効とするかの判定結果に基づいて、回線の切替制御を行う
請求項１記載の伝送装置。
【請求項３】
切替制御手段は、受信した障害検出メッセージを有効とすると判定した場合に、回線の切替を行い、
受信した前記障害検出メッセージを無効とすると判定した場合に、回線の切替を行わないように制御する
請求項２記載の伝送装置。
【請求項４】
切替制御手段は、受信した障害検出メッセージを無効とすると判定した場合に、前記障害検出メッセージを廃棄し、現在の回線状態を保持する
請求項３記載の伝送装置。
【請求項５】
ＡＰＳ管理手段は、所定のタイミングで、最新のＡＰＳプロトコル状態を示す通知情報を切替制御手段に送信し、
前記切替制御手段は、前記ＡＰＳ管理手段から受信した通知情報で示されるＡＰＳプロトコル状態に基づいて、受信した障害検出メッセージを有効とするか無効とするかを判定する
請求項２から請求項４のうちのいずれか１項に記載の伝送装置。
【請求項６】
複数の切替制御手段を備え、
障害検出手段は、リンク障害を検出すると、前記複数の切替制御手段に障害検出メッセージを同報送信する
請求項１から請求項５のうちのいずれか１項に記載の伝送装置。
【請求項７】
切替制御手段は、ＡＰＳ管理手段を介することなく、対向する伝送装置にＡＰＳ通信メッセージを送信する
請求項１から請求項６のうちのいずれか１項に記載の伝送装置。
【請求項８】
中継回線で発生したリンク障害を検出すると、当該リンク障害を検出したことを示す障害検出メッセージを、ＡＰＳプロトコルに従ってＡＰＳプロトコル状態を管理するＡＰＳ管理手段を介することなく、回線の切替制御を行う切替制御手段に送信し、
前記切替制御手段が、前記障害検出メッセージを受信したことに基づいて、回線の切替制御を行う
ことを特徴とする回線切替方法。
【請求項９】
現在のＡＰＳプロトコル状態に基づいて、受信した障害検出メッセージを有効とするか無効とするかを判定し、
前記障害検出メッセージを有効とするか無効とするかの判定結果に基づいて、回線の切替制御を行う
請求項８記載の回線切替方法。
【発明の詳細な説明】
【技術分野】
【０００１】
本発明は、リンク障害に対する回線の切替制御を行う伝送装置および回線切替方法に関する。
【背景技術】
【０００２】
現在の通信キャリア網では、ＳＯＮＥＴ（Ｓｙｎｃｈｒｏｎｏｕｓ  Ｏｐｔｉｃａｌ  ＮＥＴｗｏｒｋ）／ＳＤＨ（Ｓｙｎｃｈｒｏｎｏｕｓ  Ｄｉｇｉｔａｌ  Ｈｉｅｒａｒｃｈｙ）に代表されるＴＤＭ（Ｔｉｍｅ  Ｄｉｖｉｓｉｏｎ  Ｍｕｌｔｉｐｌｅｘｉｎｇ）ベースの光トランスポート技術によって確立された信頼性の高い伝送ネットワークが、インターネット、ＶｏＩＰ（Ｖｏｉｃｅ  ｏｖｅｒ  ＩＰ）、およびＩＰＴＶ（ＩＰ  Ｔｅｌｅｖｉｓｉｏｎ）といったパケットベースのサービストラフィックを支えてきた。加えて近年では、トラフィック量の増加とイーサネット（Ｅｔｈｅｒｎｅｔ：登録商標）やＩＰ／ＭＰＬＳ（Ｍｕｌｔｉ  Ｐｒｏｔｏｃｏｌ  Ｌａｂｅｌ  Ｓｗｉｔｃｈｉｎｇ）に代表されるパケット技術の進化とを背景に、伝送ネットワークレイヤにおいてもパケット技術の活用が始まっている。
【０００３】
パケット技術を伝送ネットワークに導入する場合の利点として、パス多重の柔軟性があげられる。パケット技術では、ヘッダフィールドに埋め込まれた識別子によって複数のパスを多重することが可能であり、また統計多重によって各パスの帯域を柔軟に割り当てることが可能であるため、タイムスロットによって帯域を固定的に割り当てるＴＤＭ技術に比べて飛躍的にパス数を増加させることが可能となる。この反面、パケット技術によって実現される伝送装置では、これまでのＴＤＭ技術で実現されてきた装置に比べて、膨大なパス数に対する処理性能が要求されることになる。
【０００４】
伝送ネットワークの信頼性を提供するプロテクション切替を構成する方法として、１対のパスを現用系または予備系に切り替えるパスプロテクション技術が広く普及している。パケット技術では、例えば、ＩＴＵ−Ｔ  Ｇ．８０３１  Ｅｔｈｅｒｎｅｔ  Ｌｉｎｅａｒ  Ｐｒｏｔｅｃｔｉｏｎ  ＳｗｉｔｃｈｉｎｇやＩＴＵ−Ｔ  Ｇ．８１３１  Ｔ−ＭＰＬＳ  Ｌｉｎｅａｒ  Ｐｒｏｔｅｃｔｉｏｎ  Ｓｗｉｔｃｈｉｎｇが国際標準として制定されている。こうしたプロテクション切替技術は、伝送路故障を契機とした障害切替に加え、対向装置からの要求に基づいた切替や、ネットワーク運用者の指示を契機にした保守切替をサポートすることで、伝送ネットワークの相互接続性およびメンテナンス等における運用性の向上に貢献してきた。
【０００５】
プロテクション切替技術では、様々なイベントが競合した場合のパス切替動作を可能とするため、各イベントの優先度に基づいた状態遷移を実現するためのプロトコルとして、ＡＰＳ（自動保護切替：Ａｕｔｏｍａｔｉｃ  Ｐｒｏｔｅｃｔｉｏｎ  Ｓｗｉｔｃｈｉｎｇ）プロトコルを定義している。ＡＰＳプロトコルは、実装難易度の観点から、組み込みソフトウェアによるプログラム処理によって実現されるケースが一般的である。また、コスト効率性の観点から、ＡＰＳプロトコルのプログラム処理を行うプロセッサは、伝送装置の共通部に配置されるケースが多い。
【０００６】
しかし、このようなアーキテクチャで構成された伝送装置では、複数の収容パスに対するプロトコル状態の管理を単一のプロセッサで処理する必要が生じる。複数のパスが多重された中継区間上で障害が発生した場合には、単一のリンク障害イベントを契機として、全ての対象パスを切り替える必要があるため、対象パス数に比例して切替時間が伸長してしまう。その結果、伝送ネットワークに求められるプロテクション切替時間（５０ミリ秒以内）を満足するためには単一の伝送装置に収容できるパス数に制限が生じ、パケット技術の特徴であるパス数のスケーラビリティを享受できないという課題があった。
【０００７】
特許文献１には、ＭＰＬＳネットワークでのリンク障害発生から当該リンクを用いるサービス断時間を短縮するネットワーク障害処理システムが記載されている。特許文献１に記載されたネットワーク障害処理システムでは、中継ノード数が多い場合にＬＳＰ−ＩＤにおける検索処理時間がかかることによるサービス断時間の伸長を防ぐことができる。
【先行技術文献】
【特許文献】
【０００８】
【特許文献１】特開２００３−６０６８０号公報（段落００５０−００５４）
【発明の概要】
【発明が解決しようとする課題】
【０００９】
特許文献１に記載されたネットワーク障害処理システムでは、各中継ノードにおいてＦＥＣまたはＬＳＰ−ＩＤによる検索を省略し、メッセージを宛先アドレスに応じてソフトウェア転送またはハードウェア転送する。そして、ＭＰＬＳネットワークエッジノードまたはセグメント端ノードへのリンク障害通知を高速に行うことによって、中継ノードが多い場合に検索処理時間がかかる問題を解決する。しかし、複数のパスが多重された中継区間上で障害が発生した場合のように、メッセージ数が多い場合にサービス断時間が伸長してしまう問題を解決することはできない。
【００１０】
そこで、本発明は、アクセス回線側のポート数に依存せずに、高速なプロテクション切替制御を実現する伝送装置および回線切替方法を提供することを目的とする。
【課題を解決するための手段】
【００１１】
本発明による伝送装置は、中継回線で発生したリンク障害を検出する障害検出手段と、ＡＰＳプロトコルに従ってＡＰＳプロトコル状態を管理するＡＰＳ管理手段と、回線の切替制御を行う切替制御手段とを備え、障害検出手段は、リンク障害を検出すると、当該リンク障害を検出したことを示す障害検出メッセージを、ＡＰＳ管理手段を介することなく、切替制御手段に送信し、切替制御手段は、障害検出メッセージを受信したことに基づいて、回線の切替制御を行うことを特徴とする。
【００１２】
本発明による回線切替方法は、中継回線で発生したリンク障害を検出すると、当該リンク障害を検出したことを示す障害検出メッセージを、ＡＰＳプロトコルに従ってＡＰＳプロトコル状態を管理するＡＰＳ管理手段を介することなく、回線の切替制御を行う切替制御手段に送信し、切替制御手段が、障害検出メッセージを受信したことに基づいて、回線の切替制御を行うことを特徴とする。
【発明の効果】
【００１３】
本発明によれば、アクセス回線側のポート数に依存せずに、高速なプロテクション切替制御を実現することができる。
【図面の簡単な説明】
【００１４】
【図１】本発明による伝送装置の一実施形態の構成を示すブロック図である。
【図２】図１に示す伝送装置を含むネットワークの構成例を示すブロック図である。
【図３】メッセージ判定部が記憶する判定テーブルの一例を示す説明図である。
【図４】図１に示す伝送装置によるプロテクション切替の動作例を示すフローチャートである。
【図５】本発明による伝送装置の主要部を示すブロック図である。
【発明を実施するための形態】
【００１５】
図１は、本発明による伝送装置の一実施形態の構成を示すブロック図である。図２は、図１に示す伝送装置を含むネットワークの構成例を示すブロック図である。図１および図２を参照して、本発明による伝送装置の一実施形態の構成について説明する。
【００１６】
図２に示すように、本実施形態では、ハブ・アンド・スポーク型トポロジのネットワークに伝送装置を適用する場合を説明する。図２に示すネットワークは、伝送装置１０（伝送装置１０ａ〜１０ｇ）によって形成される伝送ネットワーク３０、管理装置２０、およびルータ４０（ルータ４０ａ〜４０ｅ）によって構成される。
【００１７】
ルータ４０ａは、図２に示すネットワークにおけるセンタ拠点に配置される。ルータ４０ａは、伝送装置１０ａに接続される。ルータ４０ｂ〜４０ｅは、図２に示すネットワークにおけるアクセス拠点に配置される。ルータ４０ｂ〜４０ｅは、伝送装置１０ｂ〜１０ｅにそれぞれ接続される。センタ拠点側のルータ４０ａと、アクセス拠点側のいずれかのルータ４０ｂ〜４０ｅとの間で、伝送ネットワーク３０を介して通信が行われる。
【００１８】
伝送装置１０は、ルータ４０に対するＰｏｉｎｔ−ｔｏ−Ｐｏｉｎｔ型の通信パスを提供する。また、伝送装置１０は、伝送ネットワーク３０内の伝送装置間において、現用（Ｗ）系パスおよび予備（Ｐ）系パスからなる１対のパスによって構成されるパス冗長を実現している。
【００１９】
管理装置２０は、伝送ネットワーク３０を管理し、伝送装置１０を制御するネットワーク管理システムである。なお、図２に示すルータ４０および伝送装置１０が形成するネットワークトポロジは一例であり、プロテクション構成が形成できる限り、リング型、メッシュ型などいずれの形態であってもよい。
【００２０】
図１に示す伝送装置１０の構成を、例えば、図２に示す伝送装置１０ａに着目して説明する。なお、伝送装置１０ｂ〜１０ｇの構成も、伝送装置１０ａの構成と同様である。伝送装置１０は、アクセス回線カード１００（アクセス回線カード１００ａ〜１００ｄ）、中継回線カード１１０（中継回線カード１１０ａ，１１０ｂ）、ＡＰＳ制御部１２０、ＡＰＳ状態管理テーブル１２１、およびスイッチ部１３０を含む。
【００２１】
アクセス回線カード１００は、アクセス回線終端部１０１、セレクタ制御部１０２、パスＯＡＭ終端部（Ｗ）１０３、パスＯＡＭ終端部（Ｐ）１０４、メッセージ判定部１０５、およびアクセス回線ポート１０６を含む。アクセス回線ポート１０６は、ルータ４０（例えば、アクセス回線カード１００ａの場合にはルータ４０ａ）に接続される。伝送装置１０は、４つのアクセス回線カード１００ａ〜１００ｄを備える。
【００２２】
伝送装置１０において、アクセス回線カード１００のセレクタ制御部１０２を端点として切替制御が行われることによって、伝送ネットワーク３０内で冗長パスが形成される。例えば、図１に示す例では、現用系パスと予備系パスとで１対とする冗長パスが、４つのアクセス回線ポート１０６ａ〜１０６ｄを用いて、伝送ネットワーク３０内において４組形成されている。
【００２３】
例えば、図２に示す伝送装置１０ａのセレクタ制御部１０２ａと、伝送装置１０ｂのセレクタ制御部１０２ａとを端点として、冗長パスを形成することができる。このとき、両伝送装置間の現用系ルートのパスおよび予備系ルートのパスを通じて、パスＯＡＭメッセージの送受信が行われる。パスＯＡＭメッセージは、ＯＡＭ終端部１０３ａ，１０４ａによってメッセージの生成処理またはメッセージの終端処理が行われる。
【００２４】
なお、プロテクション切替機能は、パス単位で配備される。例えば、図２には、伝送装置１０ａに備えられた４つのアクセス回線カード１００ａ〜１００ｄによって実現される４組の冗長パス（現用系（Ｗ）パス，予備系（Ｐ）パス）が示されている。プロテクション切替機能は、一般的には主信号を高速転送するためにハードウェア回路によって実現されるが、ハードウェア回路に限定されるものではない。
【００２５】
中継回線カード１１０は、現用系パスを中継する中継回線カード１１０ａと予備系パスを中継する中継回線カード１１０ｂとがある。中継回線カード１１０ａは、中継回線終端部（Ｗ）１１１ａおよび中継回線ポート（Ｗ）１１２ａを含む。中継回線カード１１０ｂは、中継回線終端部（Ｐ）１１１ｂおよび中継回線ポート（Ｐ）１１２ｂを含む。各中継回線ポートは、伝送ネットワーク３０の中継リンクを提供する。
【００２６】
ＡＰＳ制御部１２０は、伝送装置１０の共通部に配備される。ＡＰＳ状態管理テーブル１２１は、具体的には、伝送装置１０に備えられたメモリ等の記憶装置に記憶され、ＡＰＳプロトコル状態を含む。ＡＰＳプロトコル状態とは、ＡＰＳプロトコルで分類された通信状態であり、具体的には、後述する図３に示す「Lockout of Protection 」や「Signal Fail for Protection」等の状態を示している。ＡＰＳ制御部１２０は、ＡＰＳ状態管理テーブル１２１を用いて、冗長パス単位でＡＰＳプロトコル状態を管理し、ＡＰＳプロトコルに従って管理や制御を行う。
【００２７】
ＡＰＳ制御部１２０は、例えば、プログラム処理に従って動作するプロセッサによって構成される。ＡＰＳ制御部１２０は、中継回線終端部１１１ａ，１１１ｂ、パスＯＡＭ終端部１０３ａ，１０４ａ、または管理装置２０から通知されるパス切替要求を入力イベントとして、所定の処理を行う。例えば、中継回線終端部１１１ａ，１１１ｂは、各終端部が接続された中継回線ポート１１２ａ，１１２ｂで発生したセクション障害に対するパス切替要求を通知する。また、パスＯＡＭ終端部１０３ａ，１０４ａは、Ｅｎｄ−ｔｏ−Ｅｎｄモデルの端点で発生したパス障害に対するパス切替要求や、端点となる伝送装置間で発信されるＡＰＳ通信メッセージに基づいたパス切替要求を通知する。また、管理装置２０は、ネットワーク運用者の指示に基づいて、ＡＰＳ制御部１２０にパス切替要求を通知する。
【００２８】
ＡＰＳ制御部１２０は、例えば、最新のＡＰＳプロトコル状態の情報を定期的に（または、状態遷移のタイミングで）取得して、取得したＡＰＳプロトコル状態の情報をメッセージ判定部１０５に設定する。また、例えば、ＡＰＳ制御部１２０は、取得したＡＰＳプロトコル状態について、所定の判定テーブルに従って、障害検出メッセージを有効とするか無効とするかの設定を、メッセージ判定部１０５に設定してもよい。さらに、ＡＰＳ制御部１２０は、中継回線終端部１１１ａ，１１１ｂ、パスＯＡＭ終端部１０３，１０４、または管理装置２０を経由して新たな切替要求を受け付けた場合には、プロトコルに基づいて新たな状態に遷移するとともに、メッセージ判定部１０５に対する設定を更新する。
【００２９】
メッセージ判定部１０５は、セレクタ制御部１０２が受信した障害検出メッセージを有効とするか無効とするかを判定する。メッセージ判定部１０５は、ＡＰＳ制御部１２０にからの設定を記憶するために、例えば、メモリ等の記憶部（図示せず）を備え、有効／無効設定の設定内容（設定値）を含む判定テーブルを記憶している。また、メッセージ判定部１０５は、記憶部に記憶された判定テーブルに示される有効／無効設定の設定内容（設定値）に基づいて、障害検出メッセージの有効／無効判定を行う。
【００３０】
図３は、メッセージ判定部が記憶する判定テーブルの一例を示す説明図である。図３に示されたＡＰＳ状態は、ＩＴＵ−Ｔ  Ｇ．８０３１／Ｇ．８１３１で定義された１０種類のＡＰＳプロトコル状態である。図３に示すように、メッセージ判定部１０５は、各ＡＰＳ状態について、障害検出メッセージが通知されたパスが現用（Ｗ）系であるか予備（Ｐ）系であるかによって、通知された障害検出メッセージを有効と判定するか無効と判定するか（有効／無効設定）を対応付けて含む判定テーブルを記憶している。
【００３１】
具体的には、メッセージ判定部１０５は、障害検出メッセージの受信によりセレクタ制御部１０２から有効／無効判定の実行を要求されると、設定値に基づいて障害検出メッセージの有効／無効判定を行い、判定結果をセレクタ制御部１０２に通知する。例えば、メッセージ判定部１０５は、所定のタイミングで（定期的に、または状態変化のタイミングで）、現在のＡＰＳプロトコル状態を示す通知情報を受信し記憶部に随時記録することによって、現在のＡＰＳプロトコル状態を把握している。そして、メッセージ判定部１０５は、障害検出メッセージの受信時に、図３に示す判定テーブルから、現在のＡＰＳプロトコル状態に対応する設定値（有効／無効の値）を抽出することによって、障害検出メッセージが有効であるか否か（パス切替を行ってよいか否か）を判定する。
【００３２】
例えば、Ｗ系でリンク障害が発生したことを示す障害検出メッセージを受信したときに、現在のＡＰＳプロトコル状態が「Lockout of Protection 」であった場合には、メッセージ判定部１０５は、図３に示す判定テーブルから対応する設定値を抽出することによって、その障害検出メッセージを無効と判定する。また、例えば、Ｐ系でリンク障害が発生したことを示す障害検出メッセージを受信したときに、現在のＡＰＳプロトコル状態が「Signal Fail for Protection」であった場合には、メッセージ判定部１０５は、図３に示す判定テーブルから対応する設定値を抽出することによって、その障害検出メッセージを有効と判定する。
【００３３】
その後、セレクタ制御部１０２は、メッセージ判定部１０５から通知された判定結果に基づいて、パスの切替制御を行う。例えば、メッセージ判定部１０５によって障害検出メッセージが有効であると判定された場合には、セレクタ制御部１０２は、パスの切替制御を行う。一方、メッセージ判定部１０５によって障害検出メッセージが無効であると判定された場合には、セレクタ制御部１０２は、パスの切替制御を行わないように制御する。
【００３４】
なお、優先度が高い通信を行っているときにパスの切替制御を行うと通信が中断してしまい却って好ましくない場合がある。そのため、本実施形態では、図３に示すように、優先度が高いＡＰＳプロトコル状態である場合には、優先度が低いＡＰＳプロトコル状態である場合と比較して、障害検出メッセージを無効であると判定するケースが高くなるように、判定テーブルが設定されている。そのようにすることによって、優先度が高いＡＰＳプロトコル状態では直ちにパスの切替制御を行わないようにし、優先度が高い通信が中断されて却って好ましくない事態が生じることを防止している。
【００３５】
また、現用系（Ｗ系）での通信を行っているときには、予備系（Ｐ系）で通信を行っているときと比較して、パスの切替制御を行って通信が中断してしまうと好ましくない場合が多いと予測される。そのため、本実施形態では、図３に示すように、Ｗ系でのリンク障害発生時には、Ｐ系でのリンク障害発生時と比較して、障害検出メッセージを無効であると判定するケースが高くなるように、判定テーブルが設定されている。そのようにすることによって、現用系（Ｗ系）での通信が中断されて却って好ましくない事態が生じることを低減している。
【００３６】
なお、メッセージ判定部１０５が判定を行って判定結果をセレクタ制御部１０２に通知するのではなく、セレクタ制御部１０２が、メッセージ判定部１０５に記憶されている判定テーブルや設定値を参照して、受信した障害検出メッセージの有効／無効を判定してもよい。このような場合には、メッセージ判定部１０５は、記憶部だけで構成されていてもよい。
【００３７】
スイッチ部１３０は、アクセス回線カード１００および中継回線カード１１０に接続する。
【００３８】
次に、動作について説明する。図４は、図１に示す伝送装置によるプロテクション切替の動作例を示すフローチャートである。図４を参照して、中継回線ポート（Ｗ）１１２ａにおいてリンク障害が発生した場合に伝送装置１０が行うプロテクション切替の動作を説明する。
【００３９】
まず、中継回線ポート（Ｗ）１１２ａ側の通信において、リンク障害が発生すると（ステップＳ１１）、中継回線終端部（Ｗ）１１１ａは、セクション内のリンク障害を検出する（ステップＳ１２）。リンク障害を検出した中継回線終端部（Ｗ）１１１ａは、リンク障害を検出したことを示す障害検出メッセージをアクセス回線カード１００ａ〜１００ｄに同報通知する。ここで、アクセス回線カード１００ａ〜１００ｄに同報通知される障害検出メッセージは、ＡＰＳ制御部１２０を経由せずに、各アクセス回線カードのセレクタ制御部１０２に直接通知される（ステップＳ１３）。また、中継回線終端部（Ｗ）１１１ａは、同時にＡＰＳ制御部１２０に対する通知を行う。
【００４０】
ステップＳ１３において障害検出メッセージの通知を受けたセレクタ制御部１０２ａ〜１０２ｄは、メッセージ判定部１０５ａ〜１０５ｄに有効／無効判定の実行を要求する（ステップＳ１４）。ステップＳ１４において要求を受けたメッセージ判定部１０５ａ〜１０５ｄは、記憶部に設定されている判定テーブルで示される設定値を参照し、セレクタ制御部１０２ａ〜１０２ｄに通知された障害検出メッセージが有効であるか否かを判定する（ステップＳ１５）。メッセージ判定部１０５ａ〜１０５ｄは、判定結果をセレクタ制御部１０２ａ〜１０２ｄに通知する。
【００４１】
なお、ステップＳ１４〜Ｓ１５において、セレクタ制御部１０２が、メッセージ判定部１０５に記憶されている設定内容を参照して、通知を受けた障害検出メッセージの有効／無効判定を行ってもよい。
【００４２】
ステップＳ１５において、障害検出メッセージが有効であると判定された場合には、セレクタ制御部１０２ａ〜１０２ｄは、パスの切替制御を行う（ステップＳ１６）。また、ステップＳ１５において、障害検出メッセージが無効であると判定された場合には、セレクタ制御部１０２ａ〜１０２ｄは、当該通知されたメッセージを廃棄し、現在の切替状態を保持するよう制御する（ステップＳ１７）。
【００４３】
このような伝送装置１０では、中継回線ポート（Ｗ）１１２ａにおいてリンク障害が発生した場合に、ＡＰＳ制御部１２０を介さずに、セレクタ制御部１０２ａ〜１０２ｄに障害検出メッセージ１０６を同報通知することによって、ＡＰＳ制御部１２０の処理負荷を軽減させるとともに、障害検出箇所である中継回線終端部１１１ａとパス切替箇所であるセレクタ制御部１０２ａ〜１０２ｄとが１対多の関係にある場合であっても、処理負荷の増加を招かずにメッセージを送信することができる。すなわち、アクセス回線側のポート数に依存せずに、単一のリンク障害を契機に高速なプロテクション切替制御を実現することができる。
【００４４】
例えば、障害検出メッセージをＡＰＳ制御部１２０に通知して、ＡＰＳ制御部１２０がパス切替の有無を判定するように構成することも考えられるが、そのようにすると、１つのプロセッサで複数のアクセス回線カードの切替の有無を判定することになるので、パス数が増加するに従って、切替時間が長くなる。これに対して、本実施形態によれば、障害検出メッセージをセレクタ制御部１０２に直接通知して、メッセージ判定部１０５がパス切替の有無を判定する。セレクタ制御部１０２およびメッセージ判定部１０５は、パス単位で設けられているので、パス数が増加しても判定処理にかかる時間は増加せず、切替時間が長くならない。
【００４５】
さらに、ステップＳ１５において障害検出メッセージが有効であると判定された場合に、セレクタ制御部１０２ａ〜１０２ｄは、パスＯＡＭ終端部（Ｐ）１０４ａ〜１０４ｄにＡＰＳ通信メッセージの送信指示を通知してもよい。ＡＰＳ通信メッセージの送信指示を通知されたパスＯＡＭ終端部（Ｐ）１０４ａ〜１０４ｄは、対向するパスの端点となる伝送装置（例えば、伝送装置１０ｂ）に対して、最新のＡＰＳ状態となる「Signal Fail for Working 」のＡＰＳ信号メッセージを送信することができる。
【００４６】
このような伝送装置１０では、障害検出メッセージの通知を受けたセレクタ制御部１０２を経由してパスＯＡＭ終端部（Ｐ）１０４に対してＡＰＳ通信メッセージの送信指示を通知することによって、対向するパスの端点の伝送装置に、最新のＡＰＳ通信メッセージを即時に送信することができる。すなわち、セレクタ制御部１０２がＡＰＳ制御部１２０を介さずにパスの切替制御を実現するのと同様に、ＡＰＳ通信メッセージもＡＰＳ制御部１２０を介さずに送信されるので、プロテクション切替時間をさらに短縮することが期待できる。
【００４７】
また、このような伝送装置１０では、障害検出メッセージの受信により無条件にパスの切替を行うのではなく、パス単位で設けられたセレクタ制御部１０２およびメッセージ判定部１０５によって、障害検出メッセージの有効／無効の判定を行い、パスの切替判定と切替とを行う。そのため、最新のプロトコル状態に基づいた切替制御を、パス単位で実現することができる。
【００４８】
また、このような伝送装置１０では、メッセージ判定部１５０が、ＡＰＳ制御部１２０によって定期的にまたはＡＰＳプロトコル状態の遷移に応じて更新されているＡＰＳプロトコル状態に基づいて、障害検出メッセージの有効／無効判定を行い、セレクタ制御部１０２は判定結果に応じてパスの切替制御を実施するので、セレクタ制御部１０２は、その都度ＡＰＳプロトコル状態を確認することなく、切替を行うパスだけを選択することができる。その結果、複雑な状態遷移を伴うＡＰＳプロトコルを実現する場合に、ソフトウェアによるプログラム処理とハードウェアによる状態保持回路との組み合わせによって容易に実現することができる。
【００４９】
さらに、このような伝送装置１０は、単一の伝送装置の内部で閉じている構成であるので、対向する装置との接続性に影響を与えることなく上記の効果を得ることができるという利点がある。
【００５０】
図５は、本発明による伝送装置の主要部を示すブロック図である。図５に示すように、伝送装置は、中継回線で発生したリンク障害を検出する障害検出手段１（例えば、図１に示す中継回線終端部１１１に相当）と、ＡＰＳプロトコルに従ってＡＰＳプロトコル状態を管理するＡＰＳ管理手段２（例えば、図１に示すＡＰＳ制御部１２０に相当）と、回線の切替制御を行う切替制御手段３（例えば、図１に示すセレクタ制御部１０２に相当）とを備え、障害検出手段１は、リンク障害を検出すると、当該リンク障害を検出したことを示す障害検出メッセージを、ＡＰＳ管理手段２を介することなく、切替制御手段３に送信し、切替制御手段３は、障害検出メッセージを受信したことに基づいて、回線の切替制御を行うように構成されている。
【００５１】
また、上記の実施形態では、以下の（１）〜（６）に示すような伝送装置も開示されている。
【００５２】
（１）切替制御手段３は、現在のＡＰＳプロトコル状態に基づいて、受信した障害検出メッセージを有効とするか無効とするかを判定し（例えば、図１に示すメッセージ判定部１０５の動作によって実現される。）、障害検出メッセージを有効とするか無効とするかの判定結果に基づいて、回線の切替制御を行う（例えば、図３に示すステップＳ１４〜Ｓ１６の動作によって実現される。）伝送装置。
【００５３】
（２）切替制御手段３は、受信した障害検出メッセージを有効とすると判定した場合に、回線の切替を行い、受信した障害検出メッセージを無効とすると判定した場合に、回線の切替を行わないように制御する（例えば、図３に示すステップＳ１６またはステップＳ１７の動作によって実現される。）伝送装置。
【００５４】
（３）切替制御手段３は、受信した障害検出メッセージを無効とすると判定した場合に、障害検出メッセージを廃棄し、現在の回線状態を保持する伝送装置。
【００５５】
（４）ＡＰＳ管理手段２は、所定のタイミングで、最新のＡＰＳプロトコル状態を示す通知情報を切替制御手段３に送信し、切替制御手段３は、ＡＰＳ管理手段２から受信した通知情報で示されるＡＰＳプロトコル状態に基づいて、受信した障害検出メッセージを有効とするか無効とするかを判定する伝送装置。
【００５６】
（５）複数の切替制御手段３を備え（例えば、図１に示すアクセス回線ポート１０６ａ〜１０６ｄによって４組の冗長パスが形成されるときに、各アクセス回線ポートがセレクタ制御部１０２を備えることによって実現される。）、障害検出手段１は、リンク障害を検出すると、複数の切替制御手段３に障害検出メッセージを同報送信する伝送装置。
【００５７】
（６）切替制御手段３は、ＡＰＳ管理手段２を介することなく、対向する伝送装置にＡＰＳ通信メッセージを送信する伝送装置。
【産業上の利用可能性】
【００５８】
本発明を、プロテクション機能を有する伝送装置に適用できる。
【符号の説明】
【００５９】
１    障害検出手段
２    ＡＰＳ管理手段
３    切替制御手段
１０，１０ａ〜１０ｇ  伝送装置
２０  管理装置
３０  伝送ネットワーク
４０，４０ａ〜４０ｅ  ルータ
１００  アクセス回線カード
１０１  アクセス回線終端部
１０２  セレクタ制御部
１０３  パスＯＡＭ終端部（Ｗ）
１０４  パスＯＡＭ終端部（Ｐ）
１０５  メッセージ判定部
１０６  アクセス回線ポート
１１０  中継回線カード
１１１ａ  中継回線終端部（Ｗ）
１１１ｂ  中継回線終端部（Ｐ）
１１２ａ  中継回線ポート（Ｗ）
１１２ｂ  中継回線ポート（Ｐ）
１２０  ＡＰＳ制御部
１２１  ＡＰＳ状態管理テーブル
１３０  スイッチ部
【図１】
0005482542.tif 000002
【図２】
0005482542.tif 000003
【図３】
0005482542.tif 000004
【図４】
0005482542.tif 000005
【図５】
0005482542.tif 000006